(57)【特許請求の範囲】
【請求項１】
作業者に背負われる背負枠（２１）と、
該背負枠（２１）に固定された第１の固定部材（２３）と、
該第１の固定部材（２３）の背面側に配設された第１の吸音部材（２５）と、
該第１の吸音部材（２５）に向けて拡開され、周端部（３１ｂ）が前記第１の吸音部材（２５）に対し所定の間隙を隔てて対峙するベルマウス（３１）と、
該ベルマウス（３１）の基端部（３１ａ）に固定され、該ベルマウス（３１）及び前記第１の吸音部材（２５）間に案内された空気を該ベルマウス（３１）を通して吸入し、かつ外部へと吐出させる送風手段（１０）と、
前記第１の固定部材（２３）の周縁に対し、立設され、端部が前記作業者側かつ内側に湾曲された第２の固定部材（２７）とを備え、
該第２の固定部材（２７）の湾曲された端部と前記ベルマウス（３１）との間は離隔され、該間隔は前記所定の間隙より狭められたことを特徴とする背負式動力作業機。
【請求項２】
前記第１の吸音部材（２５）の端部は、前記空気が前記作業者の後方から案内されるよう前記ベルマウス（３１）の周端部（３１ｂ）を包囲する方向に湾曲して形成されたことを特徴とする請求項１記載の背負式動力作業機。
【請求項３】
前記第１の吸音部材（２５）の前記ベルマウス（３１）の中心線（３４）と交差する地点を中心とした所定範囲は、前記ベルマウス（３１）方向に向けて周囲より前記中心方向に次第に隆起されたことを特徴とする請求項１又は請求項２記載の背負式動力作業機。
【請求項４】
前記第２の固定部材（２７）及び前記送風手段（１０）間の間隔は、前記所定の間隙より狭められたことを特徴とする請求項１記載の背負式動力作業機。
【請求項５】
前記第２の固定部材（２７）の内側に第２の吸音部材（２９）が配設されたことを特徴とする請求項１又は請求項４記載の背負式動力作業機。
【請求項６】
前記第１の吸音部材（２５）及び／又は前記第２の吸音部材（２９）は、スポンジ状多孔質であることを特徴とする請求項１、２、３、４又は５記載の背負式動力作業機。
【請求項７】
前記第１の吸音部材（２５）及び／又は前記第２の吸音部材（２９）は、開放端が前記空気を案内する流路（３０）に面するように配設された有底筒の集合であることを特徴とする請求項１、２、３、４又は５記載の背負式動力作業機。
【発明の詳細な説明】
【０００１】
【発明の属する技術分野】
本発明は背負式動力作業機に係わり、特に圧力風を発生させる際に生じた騒音の外部に漏れる量を低減可能な背負式動力作業機に関する。
【０００２】
【従来の技術】
図２に、従来の送風機を備える背負式動力作業機の全体概略図を示す。図２において、送風機１０は、ファンロータ１と図示しないエンジン３により構成されている。ファンロータ１がエンジン３により回転駆動されると、図示しない吸入口５より空気が吸入され、吸入された空気は送風機ケーシング７内を案内されて吐出口９より外部に吐き出される。そして、薬剤タンク１１より薬剤が落下されると、このファンロータ１により発生された圧力風により薬剤が運ばれる。
【０００３】
このとき、ファンロータ１が圧力風を発生させる際には、騒音を生ずる。この騒音は、具体的にはファンロータ１の入口でのファンロータ羽根１３による渦音、ファンロータ１内部における渦音、ファンロータ１の出口におけるスクロール１５での渦音、およびノーズ１７における渦音等によるものと考えられる。
【０００４】
そして、この騒音低減への対策として、従来は、ファンロータ１と送風機ケーシング７の間に緩衝材を設けて吸音効果を得ることが行われていた（実開平６−３４１９９、特開平６−１０８９１号公報）。また、送風機１０に対峙するように背負枠に多角形凹所を区画する「区画体」を配設することも行われていた（実公平７−５３７３０号）。
【０００５】
【発明が解決しようとする課題】
ところで、上述した騒音は、主に吸入口５から外部に伝播するが、エンジン３の騒音に比べ小さいことから、送風機１０外部で積極的に騒音低減構造を提案した例はあまり多くない。
【０００６】
前述の騒音低減対策中、緩衝材を設けた例では、緩衝材に依存する部分が大きく、その吸音効果に限界がある。また、背負枠に「区画体」を配設した例では、遠心送風機と「区画体」間の隙間から横方向に騒音が漏れ、十分に「区画体」の騒音低減効果を発揮するに至らないおそれがあった。また、この隙間から、木葉が吸入口５へ吸入されたり、送風機１０側面に沿わせて吸入口５へ手を伸ばすことも可能であった。
【０００７】
本発明はこのような従来の課題に鑑みてなされたもので、圧力風を発生させる際に生じた騒音の外部に漏れる量を低減可能な背負式動力作業機を提供することを目的とする。
【０００８】
【課題を解決するための手段】
このため本発明（請求項１）は、作業者に背負われる背負枠（２１）と、該背負枠（２１）に固定された第１の固定部材（２３）と、該第１の固定部材（２３）の背面側に配設された第１の吸音部材（２５）と、該第１の吸音部材（２５）に向けて拡開され、周端部（３１ｂ）が前記第１の吸音部材（２５）に対し所定の間隙を隔てて対峙するベルマウス（３１）と、該ベルマウス（３１）の基端部（３１ａ）に固定され、該ベルマウス（３１）及び前記第１の吸音部材（２５）間に案内された空気を該ベルマウス（３１）を通して吸入し、かつ外部へと吐出させる送風手段（１０）と、前記第１の固定部材（２３）の周縁に対し、立設され、端部が前記作業者側かつ内側に湾曲された第２の固定部材（２７）とを備え、該第２の固定部材（２７）の湾曲された端部と前記ベルマウス（３１）との間は離隔され、該間隔は前記所定の間隙より狭められたことを特徴とする。
【０００９】
第１の固定部材（２３）は、背負枠（２１）に固定されている。そして、第１の吸音部材（２５）が第１の固定部材（２３）の背面側に配設されている。ベルマウス（３１）は、第１の吸音部材（２５）に向けて拡開され、周端部（３１ｂ）が第１の吸音部材（２５）に対し所定の間隙を隔てて対峙している。
【００１０】
このベルマウス（３１）の基端部（３１ａ）には、送風手段（１０）が固定されている。送風手段（１０）は、ベルマウス（３１）及び第１の吸音部材（２５）間に案内された空気をベルマウス（３１）を通して吸入し、かつ外部へと吐出することが可能である。
【００１１】
送風手段（１０）で発生した騒音は、ベルマウス（３１）により案内されつつ集約された形で第１の吸音部材（２５）に対し衝突する。そして、第１の吸音部材（２５）で吸収される。一方、吸収されずに反射された騒音は、ベルマウス（３１）に再び跳ね返され、その跳ね返された騒音は、ベルマウス（３１）の拡開形状に従いベルマウス（３１）の中心線（３４）の方へと向かいながら、再び第１の吸音部材（２５）に対し衝突するという行為が繰り返される。この間に騒音は減衰する。また、ベルマウス（３１）による空気の吸入は拡開形状に沿って案内されるため、渦等が生ぜず、効率良く空気が送風手段（１０）へと吸入される。
【００１２】
以上により、空気の吸入が円滑に行われ、かつ騒音はベルマウス（３１）と第１の吸音部材（２５）間に閉じ込められ、外部に漏れる量は低減される。
騒音は、ベルマウス（３１）内部に形成された空間をまず通り、次にベルマウス（３１）と第１の吸音部材（２５）間に形成される流路を通り、第２の固定部材（２７）の湾曲された端部とベルマウス（３１）との間の狭い間隔を通る。その後、開放された広い空間に騒音が放出されるというように、騒音が空気の通過断面積の広い流路及び狭い流路を繰り返し通ることで、騒音量は一層減少する。
また、第２の固定部材（２７）を配設したことで、騒音を作業者の背中から遠ざかる方向へ誘導出来る。このため、音による作業者の受ける煩わしさが軽減される。そして、この第２の固定部材（２７）が存在することで、作業者の手が送風手段（１０）に近く挿入されるのを防ぐことが出来、安全である。
【００１３】
また、本発明（請求項２）は、前記第１の吸音部材（２５）の端部は、前記空気が前記作業者の後方から案内されるよう前記ベルマウス（３１）の周端部（３１ｂ）を包囲する方向に湾曲して形成されたことを特徴とする。
【００１４】
このように、第１の吸音部材（２５）の端部を湾曲させることで、ベルマウス（３１）と第１の吸音部材（２５）間に閉じ込められた騒音が外部に漏れる量を更に低減出来る。騒音も作業者の後方に向けて放出することが出来る。
【００１５】
更に、本発明（請求項３）は、前記第１の吸音部材（２５）の前記ベルマウス（３１）の中心線（３４）と交差する地点を中心とした所定範囲は、前記ベルマウス（３１）方向に向けて周囲より前記中心方向に次第に隆起されたことを特徴とする。
【００１６】
第１の吸音部材（２５）に対し、かかる隆起を形成したことで、この隆起を中心として均等に騒音が分散される。騒音は、隆起が形成されたことで、一層の繰り返し頻度でベルマウス（３１）と第１の吸音部材（２５）間で反射されるようになる。
【００１７】
このため、騒音は一層長い時間ベルマウス（３１）と第１の吸音部材（２５）間に閉じ込められることとなり、騒音量はその分減衰する。また、空気の流入も隆起のもたらす傾斜角度とベルマウス（３１）の拡開角の調和により一層円滑に行われる。
【００２１】
更に、本発明（請求項４）は、前記第２の固定部材（２７）及び前記送風手段（１０）間の間隔は、前記所定の間隙より狭められたことを特徴とする。
【００２２】
開放された広い空間を通過した後、更にこの第２の固定部材（２７）と送風手段（１０）間の空気通路の間隔を狭めることで、より一層の騒音量の減少が可能である。
【００２３】
更に、本発明（請求項５）は、前記第２の固定部材（２７）の内側に第２の吸音部材（２９）が配設されたことを特徴とする。
【００２４】
第２の吸音部材（２９）を配設したことで、ベルマウス（３１）及び第１の吸音部材（２５）で吸音しきれない騒音を吸音する。
【００２５】
更に、本発明（請求項６）は、前記第１の吸音部材（２５）及び／又は前記第２の吸音部材（２９）は、スポンジ状多孔質であることを特徴とする。
【００２６】
スポンジ状多孔質を有する吸音部材は、例えばポリウレタンフォームのようなものをいう。
【００２７】
更に、本発明（請求項７）は、前記第１の吸音部材（２５）及び／又は前記第２の吸音部材（２９）は、開放端が前記空気を案内する流路（３０）に面するように配設された有底筒の集合であることを特徴とする。
【００２８】
有底筒は、底部を有する筒体であり、この有底筒が複数個集合されて第１の吸音部材（２５）及び／又は第２の吸音部材（２９）が形成されている。そして、有底筒の開放端を空気を案内する流路（３０）に面するように配設したことで、この開放端より侵入した騒音は有底筒の内壁等の衝突により減衰される。
【００２９】
【発明の実施の形態】
以下、本発明の実施形態を図面に基づいて説明する。本発明の実施形態の構成図を図１に示す。なお、図２と同一要素のものについては同一符号を付して説明は省略する。
【００３０】
図１において、背負枠２１は、作業者に背負われるようになっている。第１の固定部材２３は、背負枠２１の垂直部材２１ａの背面側に固定されている。第１の固定部材２３の背面は、周端に行くに連れて作業者の背方向に湾曲されている。そして、第１の吸音部材２５が第１の固定部材２３の背面に貼着されている。第１の吸音部材２５の中心３４は、背面側に向けて周囲より次第に隆起された隆起部２５ａを有している。
【００３１】
第１の固定部材２３の周端部には、周状に第２の固定部材２７が立設されている。この第２の固定部材２７は、作業者の背方向に全周にわたりＵ字形に湾曲され、その端部２７ａが作業者側かつ内側に向くように折り返されている。
【００３２】
第２の吸音部材２９は、この第２の固定部材２７の内側に第１の吸音部材２５に連接するように貼着されている。但し、この第２の吸音部材２９が第２の固定部材２７の内側の湾曲された部分や折り返された部分に対して貼着されるようにしてもよい。第１の吸音部材２５と第２の吸音部材２９は、ポリウレタンフォームである。
【００３３】
また、隆起部２５ａと所定の間隙を隔てて対峙するようにベルマウス３１が配設されている。そして、ベルマウス３１の中心３４は、隆起部２５ａの中心３４と一致するように配設されている。ベルマウス３１は、基端部３１ａより第１の吸音部材２５に向けて拡開され、その周端部３１ｂと第２の固定部材２７の端部２７ａとは僅かの隙間２８を隔てている。このベルマウス３１と第１の吸音部材２５に囲まれて空間３０が形成されている。
【００３４】
基端部３１ａは、送風機ケーシング７に連結されており、この送風機ケーシング７の下部は、背負枠２１の水平部材２１ｂに固定されている。基端部３１ａと送風機ケーシング７との連結部には、吸入口５が形成されている。
【００３５】
なお、送風機１０は、ファンロータ１、このファンロータ１を内蔵する送風機ケーシング７及びファンロータ１を駆動するエンジン３により構成されている。第２の固定部材２７、ベルマウス３１の外表面及び送風機ケーシング７により空間３２が形成されている。
【００３６】
次に、本発明の実施形態の作用について説明する。
送風機ケーシング７内で発生した騒音は、主に吸入口５から外部に漏れるが、矢視線３３に示すような伝搬をする。即ち、この騒音は、吸入口５よりベルマウス３１に導かれて第１の吸音部材２５に衝突する。
【００３７】
第１の吸音部材２５には、隆起部２５ａが形成されているため、入射した騒音は、所定の反射角度を有して反射される。このため、一部はこの第１の吸音部材２５で吸収され、残りはベルマウス３１に向けて反射される。
【００３８】
その後、ベルマウス３１では、再び反射されて第１の吸音部材２５に向けて放射される。このように、騒音は、ベルマウス３１と第１の吸音部材２５で囲まれた空間３０内に、吸収及び反射を繰り返しながら次第に減衰しつつ、ベルマウス３１の拡開及び隆起部２５ａの斜角により内へ内へと閉じ込められるように伝搬する。
【００３９】
ベルマウス３１の基端部３１ａにおける空気の通過断面積は拡開されて次第に大きくなる。そして、次に続く空間３０における空気の通過断面積は、狭くなっている。隙間２８では、更にこの空気の通過断面積が狭められている。
【００４０】
その後、空間３２に騒音は出ていくが、この空間３２の空気の通過断面積は広くなっている。また、送風機ケーシング７と第２の固定部材２７との間には隙間３５が形成されるが、この空気の通過断面積は狭められている。その後、大気に開放される。以上のように、騒音が空気の通過断面積の広い流路及び狭い流路を繰り返し通ることで、騒音量は減衰する。
【００４１】
一方、ファンロータ１の回転により吸入される空気は、騒音とは逆の道を辿る。空間３２、空間３０、ベルマウス３１により仕切られた流路は、曲線形状により形成されているため、渦等を発生することは少なく、吸入口５まで効率良く空気は案内され送風性能が向上する。
【００４２】
第２の固定部材２７及び第２の吸音部材２９を配設したことで、ベルマウス３１及び第１の吸音部材２５で吸音しきれない騒音を吸音するとともに、第２の吸音部材２９でも吸音しきれない騒音を作業者の背中から遠ざかる方向へ誘導出来る。このため、音による作業者の受ける煩わしさが軽減される。
【００４３】
また、この第２の固定部材２７が存在することで、手を吸入口５に容易に達するのを防ぐことが出来、安全であると共に、このベルマウス３１により吸入口５の内部で回転するファンロータ１を直接見えないようにすることが出来、作業者の安心感を増すことができる。
空気の進入経路が迷路状となるので、例えば枯葉等の吸入口５への直接の到達を防ぐことができる。
【００４４】
なお、第１の吸音部材２５と第２の吸音部材２９には、開放端が空間３０に向くように有底筒の集合を配設することも可能である。この有底筒の集合は、底部を有する複数の筒体を束ねて構成する。ここに、筒は、管状のものに限定するものではない。
【００４５】
この有底筒としては、実質的に同様の効果を得ることができる、例えば波状のダンボール構造のものを波形を重ね合わせるように複数同一方向に重ね、中芯の作る空間の長手方向に直交するように裁断し、裁断面を音源に臨ませたようなものも含んで考える。このとき、開放端より侵入した騒音は有底筒の内壁等の衝突により減衰する。
【００４６】
【発明の効果】
以上説明したように本発明によれば、ベルマウス（３１）と第１の吸音部材
（２５）を配設したことで、空気の吸入が円滑に行われ、かつ騒音はベルマウス（３１）と第１の吸音部材（２５）間に閉じ込められ、外部に漏れる量は低減される。
【図面の簡単な説明】
【図１】  従来の送風機を備える背負式動力作業機の全体概略図
【図２】  本発明の実施形態の構成図
【符号の説明】
１  ファンロータ
３  エンジン
５  吸入口
７  送風機ケーシング
１０  送風機
２１  背負枠
２３  第１の固定部材
２５  第１の吸音部材
２５ａ  隆起部
２７  第２の固定部材
２７ａ  第２の固定部材の端部
２８、３５  隙間
２９  第２の吸音部材
３０、３２  空間
３１  ベルマウス
３１ａ  ベルマウスの基端部
３１ｂ  ベルマウスの周端部
【図１】
0003690724.tif 000002
【図２】
0003690724.tif 000003